(57)【要約】      （修正有）【課題】組み立てが簡単で、移設も容易であり、作業上安全な仮設足場を得る。【解決手段】所定間隔離間して並設される２本の横枠部材２０，２０に２本の縦枠部材２１，２１が所定間隔離間して架設されて成る上部枠体２２と、上部枠体２２の角部に夫々連結されて下方に垂設される４本の垂直部材２３，２３…と、下部枠体２４と、中間枠体２５と、床板２６と、ステップ２７，２７とから成り、所定間隔離間して水平に並設された型鋼（覆工受桁１１，１１）上面に横枠部材２０，２０の端部が掛け渡されるように構成されている。【選択図】図１
0003102734.tif 000002
【実用新案登録請求の範囲】
【請求項１】
所定間隔離間して並設される２本の横枠部材に２本の縦枠部材が所定間隔離間して架設されて成る上部枠体と、該上部枠体の角部に夫々連結されて下方に垂設される４本の垂直部材と、該４本の垂直部材の下部に夫々連結される下部枠体と、該４本の垂直部材の該下部枠体と該上部枠体の略中間部位に夫々連結される中間枠体と、該下部枠体上に載置される床板と、前記縦枠部材外側に隣接して前記横枠部材上に載置されるステップとから成り、所定間隔離間して水平に並設された型鋼上面に前記横枠部材の端部が掛け渡されるように構成されていることを特徴とするゴンドラ式仮設足場。
【請求項２】
上記横枠部材、縦枠部材、垂直部材、下部枠体及び中間枠体の少なくとも１つはＬ型鋼であることを特徴とする請求項１記載のゴンドラ式仮設足場。
【請求項３】
上記型鋼は仮設桟橋に設けられる覆工受桁であることを特徴とする請求項１又は２記載のゴンドラ式仮設足場。
【請求項４】
上記垂直部材に略平行に且つ上記上部枠体の縦枠部材に固設されて梯子が取り付けられていることを特徴とする請求項１，２又は３記載のゴンドラ式仮設足場。
【請求項５】
上記梯子は上記上部枠体の縦枠部材、上記中間枠体及び下部枠体に固設されて相互に所定間隔離間する２本の垂直部材と、該垂直部材に水平に固設される少なくとも１本の水平部材を備え、該垂直部材は前記縦枠部材の上方に所定長さ延設されていることを特徴とする請求項４記載のゴンドラ式仮設足場。
【考案の詳細な説明】
【技術分野】
【０００１】
本考案は、ゴンドラ式仮設足場に関するものであり、特に、仮桟橋の覆工受桁間に構台補強材を取付ける際に用いる仮設足場であって、組み立てが簡単で、移設も容易であり、作業上安全なゴンドラ式仮設足場に関するものである。
【背景技術】
【０００２】
従来の橋梁改修工事に使用する仮設桟橋について図２乃至図１１を用いて説明する。図２に於て、１は河川２の上方に掛け渡される仮設桟橋であり、該仮設桟橋１の仮設施工順序を説明すると、図３に示す如く、まず河床３上に所定間隔離間させてトンボ杭４，４を打設し、該トンボ杭４，４の上部に定規材５をセットし、図４に示す如く、該定規材５に複数の支持杭６，６…を挟み込むように打設し、次に、図５に示す如く、該支持杭６，６…に水平継ぎ材７，７…及びブレース材８，８…の取り付けを行って下部工９の組み立てを行い、更に、図６に示す如く桁受桁１０，１０…及び覆工受桁１１，１１…の取り付けを行って上部工１２の組み立てを行う。
【０００３】
次に、図７に示す如く、該覆工受桁１１，１１…に該覆工受桁１１，１１…の座屈防止のための構台補強材１３，１３…を取り付け、図８に示す如く、該覆工受桁１１，１１…に覆工板１４，１４…を取り付け、該覆工板１４，１４…上に手摺材１５，１５…を取付けると仮設桟橋１の仮設は完了する。
【０００４】
而して、前述の種々の作業を行う場合に於て、夫々、作業に適した足場を確保する必要があり、例えば、前記支持杭６，６…打設時は前記定規材５，５…を足場とし、前記水平継ぎ材７，７…と前記ブレース材８，８…の下部の取り付け時も該定規材５，５…を足場とする。又、該ブレース材８，８…の上部と桁受材１０，１０…の取付けは打設した支持杭６，６…に既成のシステム足場を取付けて足場とし、前記覆工受桁１１，１１…の取り付けも同様にシステム足場を取付けて足場とする。
【０００５】
そして、該覆工受桁１１，１１…に前記構台補強材１３，１３…を取付ける際にも多数のボルト締めの作業が発生するため作業員の足場が必要となる。
【０００６】
そこで、該構台補強材１３，１３…を取付ける際の足場を確保する１つの方法として、例えば、図９に示す如く、前記桁受桁１０，１０…に足場板１６，１６…を渡して足場とする方法がある。
【０００７】
然しながら、この方法は、足場板１６，１６…と桁受桁１０，１０…との固定ができないため該足場板１６，１６…が外れる危険がある。又、桁受桁１０，１０のピッチに合う足場板１６がない等の問題がある。
【０００８】
又、足場を確保する他の方法として、図１０に示す如く、河床より枠組み足場１７を組み立てる方法がある。
【０００９】
然しながら、この方法は構台補強材１３，１３…の取り付け箇所全てに設けなくてはならないため、該枠組み足場１７の設置撤去に施工手間と時間がかかるという問題と、枠組み足場１７の固定が困難であるという問題がある。尚、特許文献１にも同様な枠組み足場を組み立てる建築土木用足場構造が記載されている。
【００１０】
更に、足場を確保する他の方法として、図１１に示す如く、前記覆工受桁１１，１１…にトビック足場１８を取り付けて、足場にする方法も知られている。
【００１１】
然しながら、この方法は１箇所１脚のため足場の移動、設置に手間がかかる。又、盛替時、トビックが折り畳まれてしまうので移動が困難である。更に、足場が小型で狭く作業がしにくい等の問題がある。
【特許文献１】特開平０８−１５８６２５号公報
【考案の開示】
【考案が解決しようとする課題】
【００１２】
前述したように、覆工受桁に構台補強材を取付ける際に多数のボルト締め作業が発生するため作業員の足場が必要となる。
【００１３】
この足場を確保する方法として桁受桁に足場板を渡して足場とする方法は、該足場板が外れる危険があり、又、桁受桁のピッチに合う足場板がない等の問題がある。
【００１４】
又、河床より枠組み足場を組み立てる方法は枠組み足場の設置撤去に施工手間と時間がかかると共に、枠組み足場の固定が困難であるという問題がある。
【００１５】
更に、覆工受桁にトビック足場を取り付ける方法は足場の移動、設置に手間がかかり、又、移動が困難であるという問題がある。更に、足場が狭く作業がしにくい等の問題がある。
【００１６】
そこで、仮設桟橋の施工時に於ける構台補強材の取付けのための仮設足場であって、組み立てが簡単で、移設も容易であり、作業上安全な仮設足場を得るために解決すべき技術的課題が生じてくるのであり、本考案はこの課題を解決することを目的とする。
【課題を解決するための手段】
【００１７】
本考案の請求項１記載の考案は、所定間隔離間して並設される２本の横枠部材に２本の縦枠部材が所定間隔離間して架設されて成る上部枠体と、該上部枠体の角部に夫々連結されて下方に垂設される４本の垂直部材と、該４本の垂直部材の下部に夫々連結される下部枠体と、該４本の垂直部材の該下部枠体と該上部枠体の略中間部位に夫々連結される中間枠体と、該下部枠体上に載置される床板と、前記縦枠部材外側に隣接して前記横枠部材上に載置されるステップとから成り、所定間隔離間して水平に並設された型鋼上面に前記横枠部材の端部が掛け渡されるように構成されているゴンドラ式仮設足場を提供するものである。
【００１８】
この請求項１記載の考案によれば、簡素な部材を組み合わせて構成できるので組み立てが簡単で、移設も容易であり、作業上安全な仮設足場を得ることができる。
【００１９】
又、請求項２記載の考案は、上記横枠部材、縦枠部材、垂直部材、下部枠体及び中間枠体の少なくとも１つはＬ型鋼である請求項１記載のゴンドラ式仮設足場を提供するものである。
【００２０】
この請求項２記載の考案によれば、Ｌ型鋼を用いることにより、構成も簡素となり、且つ、コストも安価となる。
【００２１】
更に、請求項３記載の考案は、上記型鋼は仮設桟橋に設けられる覆工受桁である請求項１又は２記載のゴンドラ式仮設足場を提供するものである。
【００２２】
この請求項３記載の考案によれば、前記型鋼は仮設桟橋に設けられる覆工受桁であるので、該覆工受桁に仮設できるゴンドラ式仮設足場を提供することができる。
【００２３】
更に又、請求項４記載の考案は、上記垂直部材に略平行に且つ上記上部枠体の縦枠部材に固設されて梯子が取り付けられている請求項１，２又は３記載のゴンドラ式仮設足場を提供するものである。
【００２４】
この請求項４記載の考案によれば、前記梯子によって、作業者の昇降が容易となり、足場への移動が容易となる。
【００２５】
そして、請求項５記載の考案は、上記梯子は上記上部枠体の縦枠部材、上記中間枠体及び下部枠体に固設されて相互に所定間隔離間する２本の垂直部材と、該垂直部材に水平に固設される少なくとも１本の水平部材を備え、該垂直部材は前記縦枠部材の上方に所定長さ延設されている請求項４記載のゴンドラ式仮設足場を提供するものである。
【００２６】
この請求項５記載の考案によれば、簡易な構成で梯子を形成することができる。
【考案の効果】
【００２７】
本考案の請求項１記載の考案は、所定間隔離間して並設される２本の横枠部材に２本の縦枠部材が所定間隔離間して架設されて成る上部枠体と、該上部枠体の角部に夫々連結されて下方に垂設される４本の垂直部材と、該４本の垂直部材の下部に夫々連結される下部枠体と、該４本の垂直部材の該下部枠体と該上部枠体の略中間部位に夫々連結される中間枠体と、該下部枠体上に載置される床板と、前記縦枠部材外側に隣接して前記横枠部材上に載置されるステップとから成り、所定間隔離間して水平に並設された型鋼上面に前記横枠部材の端部が掛け渡されるように構成されているゴンドラ式仮設足場であるので、組み立てが簡単で、移設も容易であり、作業上安全な仮設足場を得ることができる。
【００２８】
又、請求項２記載の考案は、上記横枠部材、縦枠部材、垂直部材、下部枠体及び中間枠体の少なくとも１つはＬ型鋼であるので、請求項１記載の考案の効果に加え、Ｌ型鋼を用いることにより、構成も簡素となり、且つ、コストも安価となる。
【００２９】
更に、請求項３記載の考案は、上記型鋼は仮設桟橋に設けられる覆工受桁であるので、請求項１又は２記載の考案の効果に加え、該覆工受桁に仮設できるゴンドラ式仮設足場を提供することができる。
【００３０】
更に又、請求項４記載の考案は、上記垂直部材に略平行に且つ上記上部枠体の縦枠部材に固設されて梯子が取り付けられているので、請求項１，２又は３記載の考案の効果に加え、前記梯子によって、作業者の昇降が容易となり、足場への移動が容易となる。
【００３１】
そして、請求項５記載の考案は、上記梯子は上記上部枠体の縦枠部材、上記中間枠体及び下部枠体に固設されて相互に所定間隔離間する２本の垂直部材と、該垂直部材に水平に固設される少なくとも１本の水平部材を備え、該垂直部材は前記縦枠部材の上方に所定長さ延設されているので、請求項４記載の考案の効果に加え、簡易な構成で梯子を形成することができる等、著大なる効果を奏する考案である。
【考案を実施するための最良の形態】
【００３２】
仮設桟橋の施工時に於ける構台補強材の取付けのための仮設足場であって、組み立てが簡単で、移設も容易であり、作業上安全な仮設足場を得るという目的を、所定間隔離間して並設される２本の横枠部材に２本の縦枠部材が所定間隔離間して架設されて成る上部枠体と、該上部枠体の角部に夫々連結されて下方に垂設される４本の垂直部材と、該４本の垂直部材の下部に夫々連結される下部枠体と、該４本の垂直部材の該下部枠体と該上部枠体の略中間部位に夫々連結される中間枠体と、該下部枠体上に載置される床板と、前記縦枠部材外側に隣接して前記横枠部材上に載置されるステップとから成るゴンドラ式仮設足場によって実現した。
【実施例１】
【００３３】
本考案の一実施の形態を図１に従って詳細に説明する。尚、説明の都合上、従来例と同一構成部分については同一符号を付してその説明を省略する。図１に於いて、１９は従来例の足場板（図９に於て１６）、枠組み足場（図１０に於て１７）、又は、トビック足場（図１１に於て１８）に代えて用いられるゴンドラ式仮設足場であり、該ゴンドラ式仮設足場１９は所定間隔離間して並設される２本の横枠部材２０，２０に２本の縦枠部材２１，２１が所定間隔離間して架設されて成る上部枠体２２と、該上部枠体２２の角部に夫々連結されて下方に垂設される４本の垂直部材２３，２３…と、該４本の垂直部材２３，２３…の下部に夫々連結される矩形枠状の下部枠体２４とを備え、更に、該４本の垂直部材２３，２３…の該下部枠体２４と該上部枠体２２の略中間部位に矩形枠状の中間枠体２５が夫々連結され、該下部枠体２４上に床板２６が載置され、前記縦枠部材２１，２１外側に隣接して前記横枠部材２０，２０上にステップ２７，２７が夫々載置されている。
【００３４】
そして、前記下部枠体２４は前記横枠部材２０，２０と並設される下部横枠部材２８，２８と、前記縦枠部材２１，２１と並設される下部縦枠部材２９，２９とで構成され、前記中間枠体２５は前記横枠部材２０，２０と並設される中間横枠部材３０，３０と、前記縦枠部材２１，２１と並設される中間縦枠部材３１，３１とで構成される。
【００３５】
更に、前記横枠部材２０、縦枠部材２１、垂直部材２３、下部枠体２４及び中間枠体２５はＬ型鋼で形成されており、前記床板２６及び前記ステップ２７は縞鋼板で形成され足場としてすべりを防ぐ構成となっている。尚、該Ｌ型鋼及び縞鋼板はこれに限定されるものではなく、他の材料を用いることも可能である。
【００３６】
更に又、上記垂直部材２３，２３…に略平行に且つ前記上部枠体２２の２つの縦枠部材２１，２１に固設されて梯子３２，３２が夫々取り付けられており、該梯子３２は前記上部枠体２２の縦枠部材２１，２１、上記中間枠体２５の中間縦枠部材３１，３１及び下部枠体２４の下部縦枠部材２９，２９に固設されて相互に所定間隔離間する２本の垂直部材３３，３３と、該垂直部材３３，３３に水平に固設される２本の水平部材３４，３４を備え、該垂直部材３３，３３は前記縦枠部材２１，２１の上方に所定長さ延設され，且つ、上端部が外側に所定長さ折曲された形状に形成されている。そして、前記垂直部材３３は例えばＬ型鋼で形成され、前記水平部材３４は丸鋼で形成されている。
【００３７】
而して、前記ゴンドラ式仮設足場１９を用いて、型鋼から成る覆工受桁１１，１１…に構台補強材を取付ける場合について説明する。まず、クレーン（図示せず）等を用いて前記ゴンドラ式仮設足場１９を作業予定の構台補強材（図示せず）近傍に移動させ、該ゴンドラ式仮設足場１９の前記横枠部材２０，２０の端部を覆工受桁１１，１１上に載置する。
【００３８】
これによって、作業者は前記覆工受桁１１から前記ステップ２７に移動し、該ステップ２７から前記梯子３２に形成された前記垂直部材３３，３３の上部を把持し前記水平部材３４，３４に足をかけて前記床板２６上に降りることができ、該床板２６を足場として前記構台補強材の取り付けのための位置決め作業及びボルト締め作業等を行うことができる。
【００３９】
所定の作業が終了したら、作業者は前記床板２６から前記梯子３２を利用して前記ステップ２７に上り、前記覆工受桁１１に移動し、更に、前記ゴンドラ式仮設足場１９から離れた位置に移動する。
【００４０】
そして、クレーン等で該ゴンドラ式仮設足場１９を次の作業場所に移動して設置した後、作業者も該ゴンドラ式仮設足場１９に移動して前述と同様に作業を行うことができる。
【００４１】
斯くして、前記ゴンドラ式仮設足場１９は組み立てが簡単で、移設も容易であり、作業上安全な足場を得ることができる。
【００４２】
又、前記梯子３２によって作業者は昇降移動が容易となる。
【００４３】
更に、上記横枠部材２０、縦枠部材２１、垂直部材２３、下部枠体２４及び中間枠体２５はＬ型鋼が用いられるので、構成が簡素になると共に、材料費も安価となりコストダウンを図ることができる。
【００４４】
更に又、前記床板２６及び前記ステップ２７は縞鋼板が用いられるので、作業者の足場として滑りを防止することができ、作業者の安全を確保することができる。
【００４５】
尚、本考案は、本考案の精神を逸脱しない限り種々の改変を為すことができ、そして、本考案が該改変されたものに及ぶことは当然である。
【図面の簡単な説明】
【００４６】
【図１】本考案の一実施の形態を示し、ゴンドラ式仮設足場の斜視図。
【図２】（ａ）仮設桟橋の平面図。（ｂ）仮設桟橋の平面図。
【図３】仮設桟橋の施工工程を示し、トンボ杭を打設した状態を示す平面図。
【図４】仮設桟橋の施工工程を示し、支持杭を打設した状態を示す平面図。
【図５】仮設桟橋の施工工程を示し、下部工を打設した状態を示す平面図。
【図６】仮設桟橋の施工工程を示し、上部工を打設した状態を示す平面図。
【図７】仮設桟橋の施工工程を示し、構台補強材を取付けた状態を示す平面図。
【図８】仮設桟橋の施工工程を示し、覆工板を取付けた状態を示す平面図。
【図９】仮設桟橋の施工工程を示し、桁受桁に足場板を渡して足場としている状態を示す平面図。
【図１０】仮設桟橋の施工工程を示し、河床より組み立てた枠組み足場を足場としている状態を示す平面図。
【図１１】仮設桟橋の施工工程を示し、覆工受桁にトビック足場を取り付けて足場としている状態を示す平面図。
【符号の説明】
【００４７】
１    仮設桟橋
１１    覆工受桁
１９    ゴンドラ式仮設足場
２０    横枠部材
２１    縦枠部材
２２    上部枠体
２３    垂直部材
２４    下部枠体
２５    中間枠体
２６    床板
２７    ステップ
３２    梯子
３３    垂直部材
３４    水平部材
【図１】
0003102734.tif 000003
【図２】
0003102734.tif 000004
【図３】
0003102734.tif 000005
【図４】
0003102734.tif 000006
【図５】
0003102734.tif 000007
【図６】
0003102734.tif 000008
【図７】
0003102734.tif 000009
【図８】
0003102734.tif 000010
【図９】
0003102734.tif 000011
【図１０】
0003102734.tif 000012
【図１１】
0003102734.tif 000013